【手続補正書】
【提出日】平成16年4月12日(2004.4.12)
【手続補正１】
【補正対象書類名】明細書
【補正対象項目名】全文
【補正方法】変更
【補正の内容】
【発明の名称】くわえづめ座
【特許請求の範囲】
【請求項１】可動なくわえづめ（１８）と、回転可能な胴（１０）に固定されているが取外し可能なくわえづめ座（２０）を有する、回転可能な前記胴（１０）上でシート材料（２２）をくわえる装置において、
前記くわえづめ座（２０）は、第１のくわえ面（６２）と第２のくわえ面（６４）を有し、前記第１のくわえ面（６２）の一部が前記くわえづめに対して露出され、前記第２のくわえ面（６４）が保持ポケット（１００）の円筒面（１０４）に接するように係合する第１の配置か、または、前記第２のくわえ面（６４）の一部が前記くわえづめに対して露出され、前記第１のくわえ面（６２）が前記円筒面（１０４）に接するように係合する第２の配置で、前記回転可能な胴（１０）の部分（９０）の前記保持ポケット（１００）内に固定することができる、シート材料をくわえる装置。
【請求項２】前記回転可能な胴（１０）の前記部分（９０）は案内溝孔（１２０）を有し、前記くわえづめ座（２０）は、該くわえづめ座（２０）の本体部分（４０）から延びる、前記案内溝孔（１２０）内に入れられる案内タブ（４２）を有する、請求項１に記載の、シート材料をくわえる装置。
【請求項３】前記回転可能な胴（１０）の前記部分（９０）は、前記保持ポケット（１００）と外面（９４）の間を概して前記案内溝孔（１２０）への移動方向に延びる通路（１１４）を有し、前記くわえづめ座（２０）の前記本体部分（４０）は、前記通路（１１４）に沿って移動可能であり、前記くわえづめ座（２０）が前記第１の配置か前記第２の配置にある時に前記本体部分（４０）の運動を抑止する、請求項１または２に記載の、シート材料をくわえる装置。
【請求項４】前記くわえづめ座（２０）は、前記くわえづめ座が、前記回転可能な胴（１０）内の前記保持ポケット（１００）から出る運動を抑止される第１の状態と、前記くわえづめ座（２０）が前記保持ポケット（１００）から取外し可能な第２の状態の間で弾性的に変形可能である、請求項３に記載の、シート材料をくわえる装置。
【請求項５】前記通路（１１４）は、前記案内溝孔（１２０）に対して、前記くわえづめ座（２０）が、前記通路（１１４）を通って移動させられた時に、前記第１の状態と前記第２の状態の間で弾性変形するように選択された角度の方向に延びている、請求項４に記載の、シート材料をくわえる装置。
【請求項６】前記くわえづめ座は弾性材料から作られている、請求項１から５のいずれか１項に記載の、シート材料をくわえる装置。
【請求項７】前記くわえづめ座（２０）の前記本体部分（４０）は、前記第１のくわえ面（６２）と前記第２のくわえ面（６４）が形成された概して円筒形の形状を有し、前記案内タブ（４２）は概して平坦な形状を有している、請求項２から６のいずれか１項に記載の、シート材料をくわえる装置。
【請求項８】前記くわえづめ座（２０）は、前記本体部分（４０）から前記案内タブ（４２）と概して反対方向に延びる取外しタブ（４４）を有している、請求項２から７のいずれか１項に記載の、シート材料をくわえる装置。
【請求項９】前記取外しタブ（４４）は、前記案内タブ（４２）に比べて比較的に剛性がある、請求項８に記載の、シート材料をくわえる装置。
【発明の詳細な説明】
【０００１】
【発明の属する技術分野】
本発明は、シート材料を処理する装置で用いられるくわえづめ座に関する。特に、本発明は、くわえづめ座の交換が必要になるまでの時間を長くするために、２種類の配置で使用することができるくわえづめ座に関する。
【０００２】
【従来の技術】
公知のシート材料処理装置は、シート材料（枚葉）をくわえるためにくわえづめ座と協働するくわえづめを有する回転可能なくわえづめ胴を含んでいる。
【０００３】
【発明が解決しようとする課題】
くわえづめ胴をある期間動作させた後には、くわえづめ座は摩耗することがある。くわえづめ座が摩耗したときには、摩耗したくわえづめ座は新しいくわえづめ座と交換しなければならない。
【０００４】
【課題を解決するための手段】
本発明は、回転可能な胴と、前記胴上に取り付けたくわえづめ座と、開位置と閉位置との間で前記くわえづめ座に対してピボット運動するように前記胴上に支持されたくわえくわえづめとを有する、シート材料をくわえる装置の発明である。前記くわえづめ座はくわえづめと協働する第１のくわえ面と第２のくわえ面とを備えていてシート材料をくわえる。前記胴は、選択により、前記第１のくわえ面が前記くわえづめと協働してシート材料をくわえる第１の配置か、前記第２のくわえ面が前記くわえづめと協働してシート材料をくわえる第２の配置で、前記くわえづめ座を前記胴と共に回転するように固定する手段を有する。
【０００５】
好ましい実施態様において、くわえづめ座は第１のくわえ面および第２のくわえ面を有する本体部分と、この本体部分から突き出た案内タブとを含んでいる。胴は、くわえづめ座の本体部分のための保持ポケットを形成する面部分を有する。この面部分は本体部分が保持ポケットから出るのを妨げて、くわえづめ座が胴と共に運動するようにくわえづめ座を固定する。胴は、くわえづめ座の本体部分を保持ポケットに収容するときにくわえづめ座の案内タブを収容するために、保持ポケットから延びる案内溝孔を有する。くわえづめ座の案内タブは、くわえづめ座を第１の配置と第２の配置との間で動かすことができるように変形可能である。
【０００６】
【発明の実施の形態】
本発明の前掲の特徴およびその他の特徴は、以下に掲げる図面に関連して以下の説明を考察するならば、本発明に関連する当業者にとって明白となるであろう。本発明は、シート材料処理装置に使用するくわえづめ座に関する。本発明の代表例として図１に、くわえづめ胴１０を有するシート材料処理装置が概略的に示されている。くわえづめ胴１０は、軸心１２の回りを矢印１４で示されている方向、すなわち図１で見て反時計方向に回転可能である。くわえづめ胴１０は１対のくわえづめ１８と１対のくわえづめ座２０とを有する。各々のくわえづめ１８はそれぞれのくわえづめ座２０と協働してシート材料、たとえば折り丁２２をホッパ２４中の折り丁２２のスタックからくわえる。各々の折り丁２２は、くわえづめ胴１０を通過する丁合いコンベヤ２８内のポケット２６に入れられる。
【０００７】
第２のくわえづめ胴１０ａは、くわえづめ胴１０と同一で、丁合いコンベヤ２８に沿って下流にくわえづめ胴１０から間隔をおいて配置されている。第２のくわえづめ胴１０ａは、第２のホッパ２４ａ中の折り丁２２ａの第２のスタックから折り丁２２ａをくわえる。第２のホッパ２４ａから出た折り丁２２ａは、ポケット２６が第２のくわえづめ胴１０ａを通過するときに、折り丁２２と一緒に丁合いコンベヤ２８のポケット２６に入れられる。このようにして、ポケット２６内で折り丁２２と２２ａとの丁合いされた集まりが形成される。
【０００８】
くわえづめ座２０（図４）は弾性材料、たとえばウレタンプラスチックから一体的に成形される。くわえづめ座２０は本体部分４０、案内タブ４２および取外しタブ４４を有する。本体部分４０、案内タブ４２、および取外しタブ４４は、くわえづめ座２０の中心面４６に中心を合わされている。くわえづめ座２０の本体部分４０は、同図で見て紙の平面を貫通している軸心５０を中心線にして配置された円柱形の形状を有する。軸心５０はくわえづめ座２０の中心面４６上に位置している。くわえづめ座２０の本体部分４０は、円筒形の外表面６０を有する。くわえづめ座２０の本体部分４０の外表面６０の第１の円筒部分６２は、くわえづめ座２０上の第１のくわえ面を形成する。くわえづめ座２０の本体部分４０の外表面６０の第２の円筒部分６４は、くわえづめ座２０上の第２のくわえ面を形成する。第２のくわえ面６４は、第１のくわえ面６２に向かい合って、すなわち、くわえづめ座２０の中心面４６の、第１のくわえ面と反対側に配置されている。
【０００９】
くわえづめ座２０の取外しタブ４４は、本体部分４０から中心面４６に沿って第１の方向に突き出している。取外しタブ４４は平坦な直線状の形状を有し、互いに向かい合った第１、第2の側面７０、７２有する。取外しタブ４４の第１の側面７０は、くわえづめ座２０の本体部分４０の第１のくわえ面６２と接続している。取外しタブ４４の第２の側面７２は、くわえづめ座２０の本体部分４０の第２のくわえ面６４と接続している。取外しタブ４４の端面７４は取外しタブの第１の側面７０と第２の側面７２との間に延びていて、両者を相互に連結している。くわえづめ座２０の取外しタブ４４は、くわえづめ座２０の案内タブ４２と比べて比較的短く剛性である。
【００１０】
くわえづめ座２０の案内タブ４２は、取外しタブ４４と反対方向に本体部分４０から突き出している。案内タブ４２は平坦で直線状の形状を有し、互いに向かい合った第１、第２の側面８０、８２を有する。案内タブ４２の第１の側面８０は、くわえづめ座２０の本体部分４０の第１のくわえ面６２と接続している。案内タブ４２の第２の側面８２はくわえづめ座２０の本体部分４０の第２のくわえ面６４と接続している。
【００１１】
案内タブ４２の第１の区域８４はくわえづめ座２０の本体部分４０に隣接した位置にある。案内タブ４２の第２の区域８６は、本体部分４０から距離をおいた離れた位置にある。案内タブ４２の端面８８は案内タブ４２の第１の側面８０と第２の側面８２との間に延びていて、両者を互いに連結している。端面８８は、案内タブ４２の第２の区域８６に形成されている。
【００１２】
案内タブ４２の厚さ、すなわち側面８０と８２との間の距離は、取外しタブ４４の厚さと同じである。案内タブ４２は取外しタブ４４に比べて比較的長く曲げやすい。本発明に従って構成されるくわえづめ座２０は、端面７４と８８の間の全長が約１．５インチ（約３．８ｃｍ）である。１つのくわえづめ座２０の本体部分４０は、直径が約０．６２５インチ（約１．５９ｃｍ）である。本体部分４０の軸心５０は、取外しタブ４４の端面７４から約０．５インチ（約１．３ｃｍ）、案内タブ４２の端面８８から約１インチ（約２．５４ｃｍ）の位置にある。取外しタブ４４と案内タブ４２は、それぞれ厚さが約０．１６インチ（約０．４１ｃｍ）である。１つのくわえづめ座２０の幅は（図面で見て紙を貫通する方向で測定して）約０．８７５インチ（約２．２２ｃｍ）である。くわえづめ胴１０は、くわえづめ座がくわえづめ胴と共に軸心１２の回りを回転するようにくわえづめ座２０を支持する部分９０を有する。くわえづめ胴１０のこの部分９０は、外側面９２と平坦な正面９４を有する。くわえづめ胴１０の部分９０はくわえづめ胴１０自体の一部であるか、くわえづめ胴１０と共に回転するようにくわえづめ胴１０に固定される別体部材であることができる。たとえば、部分９０は、くわえづめ胴１０上にくわえづめ胴１０に対してピボット運動するように取り付けられた関節アームの一部を含むことができる。
【００１３】
くわえづめ胴１０の部分９０には、くわえづめ座２０の本体部分４０のための保持ポケット１００が形成されている。保持ポケット１００は、第１の円筒面１０２と第２の円筒面１０４とによって輪郭が形成された、概ね円筒形の形状を有する。円筒面１０２と１０４は、図面で見て紙の平面を貫通する共通軸心１０６を中心にして配置されている。円筒面１０２と１０４は、くわえづめ座２０の本体部分４０の円筒状の外表面６０と等しい曲率半径を有する。
【００１４】
円筒面１０２と１０４は、合わせると、軸心１０６の回りを１８０°にわたって広がっている。第１の平坦面または平面１１０は、第１の円筒面１０２から外方に延びて、正面９４と９０°の角度で交差している。第２の平坦面または平面１１２は、第２の円筒面１０４から外方に延びて、正面９４と９０°の角度で交差している。 平坦面１１０と１１２は互いに平行に延びていて、保持ポケット１００内への挿入用の通路１１４を形成している。通路１１４の幅、すなわち平坦面１１０と１１２との間隔は、くわえづめ座２０の本体部分４０の直径にほぼ等しい。通路１１４の幅は、取外しタブ４４の厚さより十分に大きい。
【００１５】
平坦な案内溝孔１２０が、くわえづめ座２０の案内タブ４２を収容するために、保持ポケット１００からくわえづめ胴１０内に延びている。案内溝孔１２０は、第１の側面１２２と反対側の第２の側面１２４とによって、案内溝孔１２０の中心面１２６から等距離離れて直線的な形状に形成されている。案内溝孔１２０の第１の側面１２２は、保持ポケット１００の第１の円筒面１０２と交差している。案内溝孔１２０の第２の側面１２４は、保持ポケット１００の第２の円筒面１０４と交差している。案内溝孔１２０の端面１２８は案内溝孔１２０の第１の側面１２２と第２の側面１２４との間に延びていて、両者を相互に連結している。
【００１６】
くわえづめ座２０をくわえづめ胴１０に組み合わせるために、くわえづめ座２０の案内タブ４２は、くわえづめ胴１０の保持ポケット１００を通って案内溝孔１２０に差し込まれる。くわえづめ座２０の本体部分４０は通路１１４および平坦面１１０と１１２の間を通って保持ポケット１００内に移動する。
【００１７】
案内溝孔１２０は平坦面１１０および１１２に平行に延びていないので、くわえづめ座２０の本体部分４０を保持ポケット１００内に差し込む間に、案内タブ４２は図５に示されているように曲がるか変形する。このようにして、案内タブ４２は案内溝孔１２０の中心面１２６に平行な方向に案内溝孔１２０内へ移動し、くわえづめ座２０の本体部分４０は平坦面１１０と１１２に平行な横方向（軸心１０６の方向に対して横方向）へ移動して保持ポケット１００内に入る。
【００１８】
くわえづめ座２０の本体部分４０が保持ポケット１００内に完全に収容されるときに、本体部分４０は案内タブ４２に対してピボット運動する。案内タブ４２は、図５に示されている状態から図６に示されている状態になって、まっすぐになる。くわえづめ座２０の本体部分４０の軸心５０は、くわえづめ胴１０の保持ポケット１００の軸心１０６上に位置する。
【００１９】
くわえづめ座２０が図６に示されている組み込まれた状態にあるとき、くわえづめ胴１０の第２の円筒面１０４は、くわえづめ座２０の本体部分４０がくわえづめ胴１０内の保持ポケット１００から出られないように働く。案内タブ４２の弾性によって、図５に示されているように、くわえづめ座２０の本体部分４０を保持ポケット１００から取り出すことができる状態に、当該本体部分４０が戻ることが妨げられる。このようにして、くわえづめ座２０は、くわえづめ胴１０の保持ポケット１００内に第１の配置（第１の方位(orientation)）に保たれて確実に保持される。
【００２０】
くわえづめ座２０がくわえづめ胴１０内に第１の配置で固定されているときは、くわえづめ座２０の第２のくわえ面６４は、保持ポケット１００の第２の円筒面と接触係合している。くわえづめ座２０の第１のくわえ面６２の一部分１３０は、保持ポケット１００の第１の円筒面１０２と接触係合している。くわえづめ座２０の第１のくわえ面６２のもう１つの部分１３２は、くわえづめ胴１０の正面９４と取外しタブ４４の第１の側面７０との間で露出している。
【００２１】
くわえづめ胴１０が動作している間、くわえづめ１８は図２に見られるように、くわえづめ座２０から離れた開位置にある。くわえづめ１８は公知の仕方で、図２に示された位置から図３に示された位置に移動して、折り丁２２をくわえづめ座２０の第１のくわえ面６２の露出した部分１３２に当ててくわえることができる。
【００２２】
くわえづめ胴１０をある期間動作させた後には、くわえづめ座２０の第１のくわえ面６２の露出した部分１３２は摩耗することがある。このとき、くわえづめ座２０は人手で取り外されて、以下に述べるように、くわえづめ座２０を第２の配置（図示せず）におくように、くわえづめ座２０を反転させることができる。くわえづめ座２０が第２の配置にあるときは、第２のくわえ面６４の一部が露出される。
【００２３】
この取外しと再配置の操作は、上に述べた挿入操作の逆操作である。特にくわえづめ座２０を取り外すためには、取外しタブ４４を手でつかみ、図６で見て上方に動かす。くわえづめ座２０の本体部分４０は、案内タブ４２の第１の区域８４が変形するにしたがって、案内タブ４２に対して相対的にピボット運動する。取外しタブ４４を外に向かって引いて、平坦面１１０と１１２との間の通路１１４を通ってくわえづめ座２０の本体部分４０を保持ポケット１００から引き出す。案内タブ４２はその後に続く。くわえづめ座２０の取外しと、それに続く再組み込みは、くわえづめ座を胴１０内に固定するための固定具の必要がないので比較的容易にできる。
【００２４】
くわえづめ座２０をくわえづめ胴１０から取り外した後で、くわえづめ座２０の上下を逆にして、第２の配置でくわえづめ胴１０に再配置する。くわえづめ座２０が第２の配置にあるときは、くわえづめ座２０の第１のくわえ面６２は保持ポケット１００の第２の円筒面１０４と接触係合している。くわえづめ座２０の第２のくわえ面６４の一部は、保持ポケット１００の第１の円筒面１０２と接触係合している。くわえづめ座２０の第２のくわえ面６４の他の部分は、くわえづめ１８に対して露出している。くわえづめ胴１０を引き続き動作させている間に、くわえづめ１８は、折り丁２２をくわえづめ座２０の第２のくわえ面６４の露出した部分に当ててくわえるように、動くことができる。
【００２５】
本発明の上記の説明から、当業者は改善、変更および修正を思いつくであろう。たとえば、硬さの異なる材料からなる複数のくわえづめ座を設けることが好ましいであろう。硬さの異なるくわえづめは、色によって硬さを示すように、色分けすることができる。本発明の技術の範囲内に属するこのような改善、変更および修正は、請求項に包括されている。
【図面の簡単な説明】
【図１】くわえづめを有するくわえづめ胴と、本発明によるくわえづめ座とを有する丁合い装置の概略図である。
【図２】開位置にあるくわえづめを示す、くわえづめ胴の部分の拡大図である。
【図３】閉位置にあるくわえづめを示す、くわえづめ胴の部分の拡大図である。
【図４】くわえづめ座とくわえづめ胴の部分を示す拡大図である。
【図５】図４の装置において、くわえづめ座をくわえづめ胴に組み込む段階を示す図である。
【図６】図５の段階から、くわえづめ胴に組み込んだ位置におけるくわえづめ座を示す図である。
【符号の説明】
１０  くわえづめ胴
１８  くわえづめ
２０  くわえづめ座
２２  折り丁
２４  ホッパ
２６  ポケット
２８  折り丁コンベヤ
４０  本体部分
４２  案内タブ
４４  取外しタブ
４６  中心面
５０、１０６  軸心
６０  外表面
６２  第１のくわえ面
６４  第２のくわえ面
７０、８０  第１の側面
７２、８２  第２の側面
７４、８８  端面
８４  第１の区域
８６  第２の区域
９０  くわえづめ胴の部分
９４  正面
１００  保持ポケット
１０２、１０４  円筒面
１１０、１１２  平坦面
１１４  通路
１２０  案内溝孔
１２２、１２４  側面
１２８  端面
１３２  露出した部分